(57)【特許請求の範囲】
【請求項１】
試験される電池の上方に配置されるフィクスチャの取り付け孔に固定されて使用され、前記電池の電極端子に接する第１の接触端子を下部に備え、中央に丸孔を有する接続端子が装着される第１の雄ねじ部を上部に有する大電流用コンタクトプローブにおいて、
前記取り付け孔に装着され下部には第１のフランジを備え、上部に前記取り付け孔から突出する第２の雄ねじ部を有する筒状のソケットと、
前記第２の雄ねじ部に螺合する取り付けナットと、
下部には第２のフランジを備え、該第２のフランジと前記第１のフランジとの間に配置されるバネ材を挟んで、前記ソケットに装着され、前記ソケットの上端から前記第１の雄ねじ部が突出する筒状のアダプターと、
前記第１の雄ねじ部に螺合し、前記接続端子を前記アダプターに固定する複数の締結ナットと、
前記第１の接触端子を下部に備えて、前記アダプターに装着された中空のコンタクトピンと、
前記アダプターの内側空間部に配置され、前記コンタクトピンに弾性的に接するコンタクト部材と、
前記コンタクトピンの中空部分に絶縁部材を介して装着されて、下端には前記電池の電圧を検出する第２の接触端子を備える電圧検出ピンとを有することを特徴とする大電流用コンタクトプローブ。
【請求項２】
請求項１記載の大電流用コンタクトプローブにおいて、最下段の前記締結ナットは前記アダプターの位置決めに使用し、最上段の前記締結ナットは前記接続端子の締結に使用することを特徴とする大電流用コンタクトプローブ。
【発明の詳細な説明】
【技術分野】
【０００１】
本発明は、例えば、二次電池等の電極（ターミナル）に当接して二次電池のテスト等を行う大電流用コンタクトプローブに関する。
【背景技術】
【０００２】
例えば、特許文献１に示すように、二次電池の電極に当接して電流を得る手段として、コンタクトプローブが使用され、このコンタクトプローブを介して電池から電流を流して、電池又はそれに接続される機器の試験が行われている。そして、複数の大型（例えば、自動車用）の電池を同時に試験する場合は、並べて配置された電池の上に水平配置されたフィクスチャ（支持部材）を設け、このフィクスチャに電極の数に応じて必要数の大電流用コンタクトプローブを取付けるのが一般的である。
【０００３】
図４（Ａ）〜（Ｅ）に以上の装置に用いる従来例に係る大電流用コンタクトプローブ６０を示すが、フィクスチャ６１の取り付け孔に装着するソケット６２とソケット６２に下から嵌入するコンタクトピン６３とを有し、コンタクトピン６３をソケット６２に装着した状態で、コンタクトピン６３の上部に形成された雄ねじ部６４に第１〜第３のナット６５〜６７を螺合させ、圧着端子６８を接続するようにしていた。
【先行技術文献】
【特許文献】
【０００４】
【特許文献１】特開２００４−１０１３２７号公報
【発明の概要】
【発明が解決しようとする課題】
【０００５】
しかしながら、コンタクトピン６３の底部に設けられている接触端子（コンタクター）６９、７０は磨耗によって消耗するので、定期的にコンタクトピン６３を交換する必要があった。このコンタクトピン６３の交換にあっては、図４（Ｂ）に示すように、まず第３のナット６７を外して圧着端子６８を図４（Ｃ）に示すように外す。そして、図４（Ｄ）に示すように第２、第１のナット６６、６５を雄ねじ部６４から外した後、図４（Ｅ）に示すようにコンタクトピン６３を下から引き抜く作業が必要であり、コンタクトピン６３の交換はかなり手間の要る作業であった。
【０００６】
本発明は、かかる事情に鑑みてなされたもので、コンタクトピンの交換及び取り付け作業が簡単な大電流用コンタクトプローブを提供することを目的とする。
【課題を解決するための手段】
【０００７】
前記目的に沿う本発明に係る大電流用コンタクトプローブは、試験される電池の上方に配置されるフィクスチャの取り付け孔に固定されて使用され、前記電池の電極端子に接する第１の接触端子を下部に備え、中央に丸孔を有する接続端子が装着される第１の雄ねじ部を上部に有する大電流用コンタクトプローブにおいて、
前記取り付け孔に装着され下部には第１のフランジを備え、上部に前記取り付け孔から突出する第２の雄ねじ部を有する筒状のソケットと、
前記第２の雄ねじ部に螺合する取り付けナットと、
下部には第２のフランジを備え、該第２のフランジと前記第１のフランジとの間に配置されるバネ材を挟んで、前記ソケットに装着され、前記ソケットの上端から前記第１の雄ねじ部が突出する筒状のアダプターと、
前記第１の雄ねじ部に螺合し、前記接続端子を前記アダプターに固定する複数の締結ナットと、
前記第１の接触端子を下部に備えて、前記アダプターに装着された中空のコンタクトピンと、
前記アダプターの内側空間部に配置され、前記コンタクトピンに弾性的に接するコンタクト部材と、
前記コンタクトピンの中空部分に絶縁部材を介して装着されて、下端には前記電池の電圧を検出する第２の接触端子を備える電圧検出ピンとを有する。
【０００８】
本発明に係る大電流用コンタクトプローブにおいて、最下段の前記締結ナットは前記アダプターの位置決めに使用し、最上段の前記締結ナットは前記接続端子の締結に使用するのが好ましい。
【発明の効果】
【０００９】
本発明に係る大電流用コンタクトプローブにおいて、ソケットにアダプターが装着され、このアダプターに、中央に丸孔を有する接続端子が接続され、このアダプターに下方からコンタクトピンが取り外し可能に装着されているので、コンタクトピンを交換する場合には、接続端子を外す必要がなくなる。これによって、簡便にコンタクトピン、即ち接触端子（コンタクター）の交換ができる。
また、アダプター内に装着されたコンタクトピンは、アダプター内に配置されたコンタクト部材に弾性的に接触するので、通電を確保できると共に、コンタクトピンの下方落下を防止している。
【図面の簡単な説明】
【００１０】
【図１】本発明の第１の実施の形態に係る大電流用コンタクトプローブの正断面図である。
【図２】（Ａ）、（Ｂ）はそれぞれ同大電流用コンタクトプローブを組立てた状態の断面図、同大電流用コンタクトプローブからコンタクトピンを外した状態の断面図である。
【図３】（Ａ）〜（Ｃ）はそれぞれ本発明の第２の実施の形態に係る大電流用コンタクトプローブの平面図、正断面図、底面図である。
【図４】（Ａ）〜（Ｅ）はそれぞれ従来例に係る大電流用コンタクトプローブの構造及び分解手順を示す説明図である。
【発明を実施するための形態】
【００１１】
続いて、添付した図面を参照しながら、本発明を具体化した実施の形態について説明する。
図１、図２に示すように、本発明の第１の実施の形態に係る大電流用コンタクトプローブ１０は、銅又は銅合金、場合によっては通電性が確保されたアルミニウム又はアルミニウム合金からなって、試験される電池の上方に配置されるフィクスチャ１１の取り付け孔１２に固定されて使用され、電池の電極端子に接する環状の接触端子（コンタクター、第１の接触端子）１３を下部に備え、中央に丸孔１４を有する接続端子（通称、圧着端子）１５が装着される第１の雄ねじ部１６を上部に有する。
【００１２】
大電流用コンタクトプローブ１０は、取り付け孔１２に装着され、下部にはストッパーとなる第１のフランジ１８を備え、上部に取り付け孔１２から突出する第２の雄ねじ部１９を有する筒状のソケット２０と、第２の雄ねじ部１９に螺合する取り付けナット２１とを有する。これによって、図１、図２に示すように、フィクスチャ１１の取り付け孔１２にソケット２０を取付ける。
【００１３】
そして、大電流用コンタクトプローブ１０は、下部には第２のフランジ２３を備え、第２のフランジ２３と第１のフランジ１８との間に配置されるバネ材の一例であるコイルバネ２４を挟んで、ソケット２０に下方から装着され、ソケット２０の上端から第１の雄ねじ部１６が突出する筒状のアダプター２５と、第１の雄ねじ部１６に螺合し、接続端子１５をアダプター２５の上部に固定する３枚（複数の一例）の締結ナット２６〜２８とを有している。これによって、アダプター２５の上部に接続端子１５を接続でき、しかもアダプター２５が下方から荷重を受けた場合、コイルバネ２４が縮んで、アダプター２５がソケット２０に対して上方に移動するようになっている。
【００１４】
このアダプター２５内には、環状の接触端子１３を下部に備えて、アダプター２５に下方から装着される筒状のコンタクトピン３０を有している。アダプター２５の内部に拡径して内側空間部３１が形成され、この内側空間部３１にはコンタクト部材３２が配置されている。このコンタクト部材３２は、ＩＣＯＲＥ社製のＰＳＣＯ１２−０１５−０００８（型式名）が使用されている。コンタクト部材３２は酸化し難く電気伝導度が確保された金属からなって、半径方向内側に多数の突起が弾性的に突出し、嵌入するコンタクトピン３０の円筒部３３に当接し、電流を伝えると共に円筒部３３を半径方向外側から押圧し、コンタクトピン３０が落下しないようにしている。
【００１５】
このような構造となっているので、コンタクトピン３０がアダプター２５に上下動可能に装着され、環状の接触端子１３からの電流がコンタクトピン３０、コンタクト部材３２を介してアダプター２５に、そしてアダプター２５から接続端子１５に伝わることになる。勿論、電池の極性によってはその逆方向に伝わる。
【００１６】
電池の端子に当接する接触端子（即ち、コンタクター）１３（又は以下に説明する接触端子１３ａ）が磨耗した場合には、電池がこの大電流用コンタクトプローブ１０の下位置にない状態で、コンタクトピン３０を下方に引き抜いて、新品のコンタクトピン３０を下方からアダプター２５に装着することによって行える。従って、従来と異なり、接続端子１５を外す必要がないので、コンタクトピン３０の交換が極めて容易となる。なお、この実施の形態において、図１に示すように接触端子１３の表面（底面）は凹凸がある。また、締結ナットは複数あって、最下段の締結ナット２６はアダプター２５の位置決めに使用し、最上段の締結ナット２８は接続端子１５の締結に使用している。
【００１７】
コンタクトピン３０内は中空となって、先部（下端）に接触端子（コンタクター、第２の接触端子）１３ａを備える電圧検出ピン３５が設けられている。この電圧検出ピン３５はコンタクタピン３０内に絶縁部材３８、３９を介して装着されている。電極検出ピン３５の上端部は円柱状となって、上部から筒状のプローブを装着し、電池の電圧を計測できるようになっている。接触端子１３ａの底面には凹凸を有する。電極検出ピン３５にはコイルスプリング３６が設けられ、コンタクトピン３０内を上下動できる構造となっている。なお、この接触端子１３ａは電池の電圧を検出するためのもので、電流は流れない。
【００１８】
図３には、本発明の第２の実施の形態に係る大電流用コンタクトプローブ４２を示すが、第１の実施の形態に係る大電流用コンタクトプローブ１０と相違する点は、コンタクトピンの形状である。この大電流用コンタクトプローブ４２のコンタクトピン４３は、単軸ピンと称されるもので、下端にコンタクター（接触端子）４５を有し、中央に突出するピンを備えていない。その他の構成は同一であるので、同一の番号を付して詳しい説明を省略する。
【００１９】
本発明は前記した実施の形態に限定されるものではなく、本発明の要旨を変更しない範囲でその構成、形状を変更することもできる。
【符号の説明】
【００２０】
１０：大電流用コンタクトプローブ、１１：フィクスチャ、１２：取り付け孔、１３、１３ａ：接触端子、１４：丸孔、１５：接続端子、１６：第１の雄ねじ部、１８：第１のフランジ、１９：第２の雄ねじ部、２０：ソケット、２１：取り付けナット、２３：第２のフランジ、２４：コイルバネ、２５：アダプター、２６〜２８：締結ナット、３０：コンタクトピン、３１：内部空間部、３２：コンタクト部材、３３：円筒部、３５：電圧検出ピン、３６：コイルスプリング、３７：ストッパーリング、３８、３９：絶縁部材、４２：大電流用コンタクトプローブ、４３：コンタクトピン、４５：コンタクター
【図１】
0005898862.tif 000002
【図２】
0005898862.tif 000003
【図３】
0005898862.tif 000004
【図４】
0005898862.tif 000005